(57)【要約】【課題】ライブビュー画像を確認しながら、動画再生速度を変更すること。【解決手段】デジタルカメラ１は、撮像素子１３と、撮像素子１３で撮像された複数のフレーム画像を第１フレームレートで逐次記憶する記憶部１８と、記憶部１８に記憶された画像を逐次表示させる表示部１５と、記憶部１８に記憶された複数のフレーム画像に基づいて、第１フレームレートとは異なる第２フレームレートで表示部１５に再生表示する動画像データを生成する動画像データ生成部１７と、動画像データ生成部１７により生成された動画像データを記録部３０に記録する記録制御部２０と、第２フレームレートを変更するための操作部材２１と、を備え、表示部１５は、記録制御部２０が記録を行う前に、表示部１５に逐次表示させる画像に加えて、動画像データに基づく動画像を変更後の第２フレームレートで表示させる。【選択図】図１
2014086869.tif 000002
【特許請求の範囲】
【請求項１】
撮像素子と、
前記撮像素子で撮像された複数のフレーム画像を第１フレームレートで逐次記憶する記憶部と、
前記記憶部に記憶された画像を逐次表示させる表示部と、
前記記憶部に記憶された前記複数のフレーム画像に基づいて、前記第１フレームレートとは異なる第２フレームレートで前記表示部に再生表示する動画像データを生成する動画像データ生成部と、
前記動画像データ生成部により生成された前記動画像データを記録部に記録する記録制御部と、
前記第２フレームレートを変更するための操作部材と、を備え、
前記表示部は、前記記録制御部が前記記録を行う前に、前記表示部に前記逐次表示させる画像に加えて、前記動画像データに基づく動画像を前記変更後の第２フレームレートで表示させることを特徴とするデジタルカメラ。
【請求項２】
請求項１に記載のデジタルカメラにおいて、
前記動画像データ生成部は、前記操作部材により前記第２フレームレートが変更されると、当該変更後に前記記憶部に記憶された前記複数のフレーム画像に基づいて再度動画像データを生成させ、
前記表示部は、前記再度生成された動画像データに基づく動画像を、前記変更後の第２フレームレートで表示させることを特徴とするデジタルカメラ。
【請求項３】
請求項１または２に記載のデジタルカメラにおいて、
前記記憶部に記憶されたフレーム画像に基づいて、静止画像データを生成する静止画像データ生成部をさらに備え、
前記記録制御部は、前記動画像データ生成部により生成された前記動画像データ、および前記静止画像データ生成部により生成された前記静止画像データを、互いに関連付けて記録部に記録することを特徴とするデジタルカメラ。
【請求項４】
請求項１〜３のいずれか一項に記載のデジタルカメラにおいて、
前記第２フレームレートは前記第１フレームレートより低速であることを特徴とするデジタルカメラ。
【請求項５】
請求項１〜４のいずれか一項に記載のデジタルカメラにおいて、
前記表示部は、前記第２フレームレートで表示させる動画像を、画面の全部または一部に表示させることを特徴とするデジタルカメラ。
【請求項６】
請求項１〜５のいずれか一項に記載のデジタルカメラにおいて、
音楽データに基づいて音楽を再生する音響再生部をさらに備え、
前記記録制御部が前記記録を行う前に、前記表示部が前記動画像データに基づく動画像を前記変更後の第２フレームレートで表示させている間、前記音響再生部が前記音楽データに基づいて音楽を再生し、
前記記録制御部はさらに、前記記録時に、前記音響再生部が再生する音楽データの情報を関連付けて前記記録部に記録することを特徴とするデジタルカメラ。
【請求項７】
請求項６に記載のデジタルカメラにおいて、
前記音楽を変更するための第２操作部材をさらに備え、
前記音響再生部は、前記第２操作部材により前記音楽が変更されると、当該変更後の音楽データに基づいて音楽を再生し、
前記記録制御部はさらに、前記記録時に、前記変更後の音楽データの情報を関連付けて前記記録部に記録することを特徴とするデジタルカメラ。
【請求項８】
請求項７に記載のデジタルカメラにおいて、
前記音楽は、演奏速度が異なる音楽に変更されることを特徴とするデジタルカメラ。
【請求項９】
請求項６〜８のいずれか一項に記載のデジタルカメラにおいて、
前記音響再生部は、前記動画像データに基づく動画像が表示される間、前記音楽再生を繰り返すことを特徴とするデジタルカメラ。
【発明の詳細な説明】
【技術分野】
【０００１】
本発明は、デジタルカメラに関する。
【背景技術】
【０００２】
ライブビュー表示と呼ばれ、所定の周期で撮像した画像を表示部に逐次表示させる機能が知られている（特許文献１参照）。例えば、ユーザーが絞り値を変更した場合は、変更後の画像効果として被写界深度をライブビュー画像から確認できる。
【０００３】
また、撮影指示時に取得した１つの静止画像と、該撮影指示の前後で取得したスロー再生用の動画像とを、関連付けて記録するスロー再生動画＆静止画モードが知られている（特許文献２参照）。
【先行技術文献】
【特許文献】
【０００４】
【特許文献１】特許第４７５０６１６号公報
【特許文献２】特開２０１１−２５０００４号公報
【発明の概要】
【発明が解決しようとする課題】
【０００５】
従来技術では、スロー再生動画＆静止画モードにおいてスロー再生する速度を変更できなかった。
【課題を解決するための手段】
【０００６】
本発明によるデジタルカメラは、撮像素子と、撮像素子で撮像された複数のフレーム画像を第１フレームレートで逐次記憶する記憶部と、記憶部に記憶された画像を逐次表示させる表示部と、記憶部に記憶された複数のフレーム画像に基づいて、第１フレームレートとは異なる第２フレームレートで表示部に再生表示する動画像データを生成する動画像データ生成部と、動画像データ生成部により生成された動画像データを記録部に記録する記録制御部と、第２フレームレートを変更するための操作部材と、を備え、表示部は、記録制御部が記録を行う前に、表示部に逐次表示させる画像に加えて、動画像データに基づく動画像を変更後の第２フレームレートで表示させることを特徴とする。
【発明の効果】
【０００７】
本発明によるデジタルカメラでは、表示部に逐次表示されるライブビュー画像を確認しながら、動画像データに基づく動画像の再生速度を変更できる。
【図面の簡単な説明】
【０００８】
【図１】本発明の一実施の形態によるデジタルカメラの構成を例示するブロック図である。
【図２】ＬＣメニュー画面を例示する図である。
【図３】シャッター速度変更画面を例示する図である。
【図４】スロー動画の再生速度の設定変更画面を例示する図である。
【図５】スロー再生動画＆静止画モードにおいてＣＰＵが実行する処理の流れを説明するフローチャートである。
【発明を実施するための形態】
【０００９】
以下、図面を参照して本発明を実施するための形態について説明する。本実施形態のデジタルカメラは、撮影指示時に取得した静止画と、該撮影指示の前後で取得したスロー再生用の動画とを、関連付けて記録する撮影モード（「スロー再生動画＆静止画モード」と呼ぶ）を備える。「スロー再生動画＆静止画モード」の設定／解除は、例えば、モードダイヤル操作によって行う。そして、上記スロー再生動画の再生速度などを、ライブビュー画像の表示画面において設定変更可能に構成する。
【００１０】
図１は、本発明の一実施の形態によるデジタルカメラ１の構成を例示するブロック図である。図１においてデジタルカメラ１は、撮像光学系１１と、絞り１２と、撮像素子１３と、画像処理部１４と、表示部１５と、絞り駆動部１６と、ＣＰＵ１７と、ＲＡＭ１８と、フラッシュメモリ１９と、画像記録／再生部２０と、操作部材２１と、サウンド再生部２２と、スピーカ２３と、を備える。
【００１１】
撮像光学系１１は、撮像素子１３の撮像面に被写体像を結像させる。撮像光学系１１は、フォーカシングレンズを含む複数のレンズ群で構成される。絞り１２は、撮像素子１３に入射する被写体光束の量を調節する。絞り１２の開口径は、絞り駆動部１６によって駆動制御される。絞り駆動部１６に対する駆動指示は、後述するコマンドダイヤルからの操作信号、またはＡＰＥＸ演算結果に基づいてＣＰＵ１７が行う。
【００１２】
撮像素子１３は、ＣＭＯＳイメージセンサなどによって構成される。撮像素子１３は、撮像面上に結像された被写体像を撮像画素で光電変換し、画像信号を出力する。画像処理部１４は、撮像素子１３から読み出され、図示しないＡ／Ｄ変換部でデジタル信号に変換された画像信号に対して所定の画像処理を行う。画像処理部１４はさらに、画像処理後の画像データに基づく再生画像を表示部１５に表示させるためのリサイズ処理などを行う。
【００１３】
表示部１５は液晶パネルによって構成される。表示部１５は、ライブビュー画像や再生画像、メニュー画面などを表示する。ＣＰＵ１７は、ＲＡＭ１８を作業領域として制御プログラムを実行し、デジタルカメラ１の各部に対する種々の制御を行う。ＣＰＵ１７はさらに、画像信号から被写体の明るさを検出し、検出結果に基づいてＡＰＥＸ演算により露出値を求め、上記ＩＳＯ感度や絞り値、シャッター速度を算出する。また、画像データを格納した所定形式の画像ファイルを生成したり、圧縮処理を行ったりする。フラッシュメモリ１９は、ＣＰＵ１７が実行するプログラムやデータを格納する。
【００１４】
画像記録／再生部２０は、ＣＰＵ１７からの指示に基づいて画像ファイルを記録媒体３０に記録したり、記録媒体３０に記録されている画像ファイルを読出したりする。記録媒体３０は、例えば、図示しないカードスロットに着脱自在に取り付けられるメモリカードによって構成される。
【００１５】
操作部材２１は、電源スイッチ、シャッターボタン、十字スイッチ、ＬＣボタン、モードダイヤル、およびコマンドダイヤルなどを含み、各操作に応じた操作信号をＣＰＵ１７へ送出する。十字スイッチは、上下左右などの操作方向を示す信号を出力するスイッチである。ＬＣボタンは、「スロー再生動画＆静止画モード」において、ＬＣメニュー画面を表示部１５に表示させるためのボタンである。ＬＣメニューとは、表示部１５へライブビュー画像を表示させながら、変更する項目の設定を行うためのメニューである。
【００１６】
モードダイヤルは、ライブビュー画像を表示部１５に逐次表示させながら撮影処理を行うライブビューモード、「スロー再生動画＆静止画モード」、画像ファイルに基づく再生画像を表示部１５に表示させる再生処理モードなどを設定するためのダイヤルである。コマンドダイヤルは、絞り値やシャッター速度を設定するためのダイヤルである。ライブビューモードとスロー再生動画＆静止画モードでは、コマンドダイヤルを用いて設定された絞り値やシャッター速度による画像効果が、ライブビュー画像にも反映され、表示部１５に逐次表示される。
【００１７】
サウンド再生部２２は、フラッシュメモリ１９から読み出されたデジタルサウンドデータに基づいて、音楽、操作音、音声メッセージなどのサウンド再生信号を生成する。スピーカ２３は、サウンド再生信号に基づいてサウンド再生を行う。デジタルサウンドデータは、あらかじめ複数種類のデータがフラッシュメモリ１９に記憶されているが、後からフラッシュメモリ１９に追加記憶させることも可能である。
【００１８】
＜スロー再生動画データおよび静止画データの取得＞
「スロー再生動画＆静止画モード」に切替えられたＣＰＵ１７は、上記構成を有することにより、バッファメモリとして機能するＲＡＭ１８の動画用領域に記憶された動画像のフレームレート（第１フレームレート：６０ｆｐｓ）より遅い、第２フレームレート（２４ｆｐｓ）で再生するためのスロー再生動画データを生成する。ＣＰＵ１７はさらに、ＲＡＭ１８の静止画用領域に記憶された画像に基づいて、１コマの静止画データを生成する。生成する静止画データは、ＲＡＷ形式でもＪＰＥＧ形式でもよい。そして、生成したスロー再生動画データおよび静止画データを、互いに関連付けて記録媒体３０に記録する。
【００１９】
上記スロー再生動画データおよび静止画データの生成、記録は、以下のように行われる。「スロー再生動画＆静止画モード」において、シャッターボタンが半押し操作されると（Ｓ１オン）、ＣＰＵ１７が先撮り開始を指示する。先撮り開始指示により、ＲＡＭ１８に対して撮像素子１３で取得された画像データの一時記憶（蓄積）が始まる。これにより、第１フレームレートで得られたフレーム画像が、逐次ＲＡＭ１８に蓄積される。
【００２０】
先撮り撮影のために使用するＲＡＭ１８のメモリ容量は、あらかじめ十分な容量が確保されている。ＣＰＵ１７は、ＲＡＭ１８内に蓄積したフレーム画像のフレーム数が所定枚数（例えば３００枚(５秒分)）に達した場合には、古いフレーム画像から順に上書き消去する。これにより、先撮り撮影のために使用するＲＡＭ１８のメモリ容量を制限できる。
【００２１】
先撮り開始後、シャッターボタンが全押し操作されると（Ｓ２オン）、ＣＰＵ１７は、次に撮像素子１３で撮像されるフレーム画像を静止画用としてＲＡＭ１８に蓄積する。ＣＰＵ１７はさらに、上記Ｓ２オンから所定時間（例えば０．４秒）が経過するまで、上記先撮りの場合と同様に、ＲＡＭ１８に対して画像データの一時記憶（蓄積）を行う（後撮り）。
【００２２】
ＣＰＵ１７は、デフォルト設定として、ＲＡＭ１８に蓄積されているフレーム画像のうち、例えばＳ２オン前０．６秒間分と、Ｓ２オン後０．４秒間分の計１秒間分のフレーム画像（フレーム数は６０）に基づいて、第２フレームレート（２４ｆｐｓ）で再生するスロー再生動画データ（再生時間は２．５秒）を生成する。
【００２３】
＜スロー再生動画データおよび静止画データの再生＞
ＣＰＵ１７は、上述したように取得したスロー再生動画データおよび静止画データによる画像再生を、以下のように行う。ＣＰＵ１７は、再生処理モードにおいて操作部材２１の操作によって再生が指示されると、サウンド再生部２２へ指示を送り、所定の楽曲データ（デジタルサウンドデータ）をスピーカ２３からサウンド再生させる。再生する楽曲は、画像再生するスロー再生動画データおよび静止画データと関連付けて記録媒体３０に記録されている楽曲データの情報に基づく。
【００２４】
ＣＰＵ１７はさらに、スロー再生動画データに基づく動画像を表示部１５に２．５秒間動画再生させ、動画像再生後に静止画データに基づく静止画像を表示部１５に７．５秒間表示させる。ＣＰＵ１７は、計１０秒間のスロー再生動画＆静止画データの画像再生が終了に合わせて、サウンド再生も終了させる。なお、楽曲の再生時間が１０秒に満たない場合は、同じ楽曲を繰り返しサウンド再生させる。
【００２５】
＜ＬＣメニュー処理＞
ＣＰＵ１７は、ライブビューモードおよびスロー再生動画＆静止画モードにおいて操作部材２１を構成するＬＣボタンが押下操作されると、「ＬＣメニュー」画面を表示部１５に表示させる。「ＬＣメニュー」には、シャッター速度を変更するための「動きを表現する」項目１０１、絞り１２の開口径を変更するための「ぼけ具合を変える」項目１０２、露出補正のための「明るさを変える」項目１０３、ハイライト部とシャドー部の輝度差が大きい場合に適度なコントラストを保つための「明暗差を変える」項目１０４が上下に表示される。スロー再生動画＆静止画モードにおいては、図２に例示するように「スロー再生動画＆静止画モード」のスロー再生動画の再生速度を設定するための「動画の再生速度を変える」項目１０５が、さらに表示される。
【００２６】
ＣＰＵ１７は、「ＬＣメニュー」画面を表示中に、操作部材２１を構成する十字スイッチが上下方向に押下操作されると、操作信号に応じて選択項目を上下に変更する。ＣＰＵ１７は、「ＬＣメニュー」画面を表示中に、操作部材２１を構成する「ＯＫ」スイッチが押下操作されると、「ＬＣメニュー」画面の表示を終了し、「ＬＣメニュー」画面を表示する前の元の表示画面（例えばライブビュー画像）に戻す。ＣＰＵ１７は、「動きを表現する」項目１０１を選択した状態で十字スイッチ２２右方向に押下操作されると、図３に例示する「シャッター速度変更」画面を表示部１５に表示させる。
【００２７】
＜ライブビュー表示中に行うシャッター速度の設定変更＞
図３において、「シャッター速度変更」画面は、ライブビュー画像に重ねてスライドバー１１１を表示したものである。ＣＰＵ１７は、「シャッター速度変更」画面を表示部１５に表示させた状態で、シャッター速度変更操作を受け付ける。ＣＰＵ１７は、コマンドダイヤルの操作に応じてスライドバー１１１の上に表示されているノブ１１２を上下に移動させるとともに、ノブ１１２の位置に対応するシャッター速度となるように撮像素子１３の蓄積時間を制御する。例えば、ノブ１１２が上に移動されるとシャッター速度を高速（蓄積時間が短い）にし、ノブ１１２が下に移動されるとシャッター速度を低速（蓄積時間が長い）にする。なお、「シャッター速度変更」画面を表示部１５へ表示中は、操作部材２１を構成する十字スイッチが上下に操作された場合にも、ノブ１１２の位置変更を行うように構成されている。
【００２８】
ＣＰＵ１７は、シャッター速度変更後に取得された画像信号に基づいて測光処理を行い、被写体の明るさを測定する。ＣＰＵ１７は、変更後のシャッター速度、測定した被写体の明るさ（以後、「輝度情報」とする）を用いてＡＰＥＸ演算により露出値を求め、ＩＳＯ感度および絞り値を算出する。ＣＰＵ１７はさらに、算出したＩＳＯ感度へ変更するとともに、絞り１２を算出した絞り値へ駆動制御するように絞り駆動部１６へ指示を送る。
【００２９】
デジタルカメラ１のＣＰＵ１７は、ライブビューモードおよびスロー再生動画＆静止画モードにおいて上述したライブビュー表示中のシャッター速度変更の場合と同様に、スライドバー１１１の上に表示されているノブ１１２の上下移動に対応させて、「ＬＣメニュー」における各項目の設定変更を行い、当該設定変更を反映させたライブビュー画像を表示部１５に表示させる。
【００３０】
すなわち、「ぼけ具合を変える」項目１０２が選択された場合のＣＰＵ１７は、スライドバー１１１の上に表示されているノブ１１２の上下移動に対応させて絞り１２を制御し、「明るさを変える」項目１０３が選択された場合はスライドバー１１１の上に表示されているノブ１１２の上下移動に対応させて露出補正量を制御する。なお、「ぼけ具合を変える」項目１０２が選択されている場合のスライドバー１１１は絞り１２の絞り値に対応し、「明るさを変える」項目１０３が選択されている場合のスライドバー１１１は露出補正量に対応する。
【００３１】
また、ＣＰＵ１７は、「明暗差を変える」項目１０４が選択された場合はスライドバー１１１の上に表示されているノブ１１２の上下移動に対応させてコントラストを制御する。この場合のスライドバー１１１は、明暗差に対応する。
【００３２】
本実施形態は、スロー再生動画＆静止画モードにおいて「動画の再生速度を変える」項目１０５が選択された場合の設定処理に特徴を有するので、以降の説明はこの点を中心に行う。図５は、スロー再生動画＆静止画モードにおいてＣＰＵ１７が実行する処理の流れを説明するフローチャートである。ＣＰＵ１７は、スロー再生動画＆静止画モードが設定された場合に図５による処理を起動させる。図５によるプログラムは、フラッシュメモリ１９に格納されている。
【００３３】
図５のステップＳ１１において、ＣＰＵ１７はライブビュー画像の表示を開始させてステップＳ１２へ進む。これにより、撮像素子１３によって所定のフレームレート（第１フレームレート：６０ｆｐｓ）で撮像されたライブビュー画像が、表示部１５に逐次表示される。
【００３４】
ステップＳ１２において、ＣＰＵ１７は、ライブビュー画像の画像信号に基づいて測光処理を行い、「輝度情報」を測定してステップＳ１３へ進む。ステップＳ１３において、ＣＰＵ１７は、上記「輝度情報」に基づいて露出値を求め、ＩＳＯ感度、絞り値、シャッター速度のうち、必要な制御量を制御してステップＳ１４へ進む。
【００３５】
ステップＳ１４において、ＣＰＵ１７は、ＬＣボタンが操作されたか否かを判定する。ＣＰＵ１７は、操作部材２１からＬＣボタン操作を示す操作信号が入力された場合にステップＳ１４を肯定判定してステップＳ１５へ進む。ＣＰＵ１７は、操作部材２１からＬＣボタン操作を示す操作信号が入力されない場合には、ステップＳ１４を否定判定してステップＳ１８へ進む。
【００３６】
ステップＳ１５において、ＣＰＵ１７は、図２に例示した「ＬＣメニュー」画面を表示部１５に表示させてステップＳ１６へ進む。ステップＳ１６において、ＣＰＵ１７は、「動画の再生速度を変える」項目１０５が選択されたか否かを判定する。ＣＰＵ１７は、上記項目１０５が選択された場合にステップＳ１６を肯定判定してステップＳ２３へ進む。ＣＰＵ１７は、上記項目１０５が選択されていない場合には、ステップＳ１６を否定判定してステップＳ１７へ進む。
【００３７】
ステップＳ１７へ進んだＣＰＵ１７は、上記項目１０１〜項目１０４に対する項目変更処理を行う。例えば、「動きを表現する」項目１０１に対する変更処理は、「ライブビュー表示中に行うシャッター速度の設定変更」として上述した通りである。ＣＰＵ１７は、変更処理が終了するとステップＳ１８へ進み、シャッターボタンの半押し操作の有無を判定する。ＣＰＵ１７は、シャッターボタンが半押し操作されると（Ｓ１オン）、ステップＳ１８を肯定判定してステップＳ１９へ進み、シャッターボタンが半押し操作されない場合には、ステップＳ１８を否定判定してステップＳ１６へ戻る。
【００３８】
ステップＳ１９において、ＣＰＵ１７は、上記「先撮り」を開始させてステップＳ２０へ進む。ステップＳ２０において、ＣＰＵ１７は、撮影指示操作の有無を判定する。ＣＰＵ１７は、シャッターボタンが全押し操作されると（Ｓ２オン）、ステップＳ２０を肯定判定してステップＳ２１へ進み、シャッターボタンが全押し操作されない場合には、ステップＳ２０を否定判定してステップＳ２２へ進む。
【００３９】
ステップＳ２１において、ＣＰＵ１７は撮影および記録処理を行う。ＣＰＵ１７は、上述したように画像を取得し、スロー再生動画データおよび静止画データを互いに関連付けて記録媒体３０に記録する。この場合、スロー再生動画データおよび静止画データを１つのファイルに格納してもよいし、別々のファイルに格納してもよい。ＣＰＵ１７はさらに、再生処理モードにおいてサウンド再生する楽曲データを示す情報（ファイル名および当該ファイルの記録場所等）も関連付けて記録媒体３０に記録する。楽曲データの情報を関連付けておくことで、スロー再生動画データおよび静止画データの画像を再生表示する際に、楽曲のサウンド再生が可能になる。
【００４０】
ステップＳ２２において、ＣＰＵ１７は、終了操作が行われたか否かを判定する。ＣＰＵ１７は、例えばスロー再生動画＆静止画モードが解除され、ライブビューモードまたは再生処理モードへ切替え操作が行われた場合に、ステップＳ２２を肯定判定して図５による処理を終了する。ＣＰＵ１７は、スロー再生動画＆静止画モードが継続される場合には、ステップＳ２２を否定判定してステップＳ１２へ戻る。ステップＳ１２へ戻る場合は上述した処理を繰り返す。
【００４１】
上述したステップＳ１６を肯定判定して進むステップＳ２３〜ステップＳ２８は、「動画の再生速度を変える」項目１０５の設定処理に対応する。ＣＰＵ１７は、ステップＳ２３において、上記「先撮り」を所定時間行わせてステップＳ２４へ進む。ステップＳ２３で行う「先撮り」の時間については後述する。
【００４２】
ステップＳ２４において、ＣＰＵ１７は、表示部１５に表示中のライブビュー画像に加えて、小画面のスロー再生動画１２０と、スライドバー１１１および１１５とを表示させるとともに、サウンド再生部２２へ指示を送り、所定の楽曲のデータをスピーカ２３からサウンド再生させる。再生する楽曲のデータは、フラッシュメモリ１９に記憶されている複数の楽曲のデータの中から、後述のようにユーザー操作によって選択可能に構成されている。
【００４３】
図４は、「スロー動画の再生速度の設定変更」画面を例示する図である。図４において、「スロー動画の再生速度の設定変更」画面は、スライドバー１１１と、スライドバー１１５と、小画面のスロー再生動画１２０とをライブビュー画像に重ねて表示したものである。スライドバー１１１はスロー再生速度に対応し、スライドバー１１５は楽曲再生速度に対応する。小画面のスロー再生動画１２０は、ステップＳ２３で取得した先撮り画像（ＲＡＭ１８に蓄積されている第１フレームレート（６０ｆｐｓ）で取得した画像）に基づいて、第２フレームレート（例えば２４ｆｐｓ）で再生を繰り返す動画像である。ＣＰＵ１７は、この動画像の再生を繰り返す間、楽曲を繰り返しサウンド再生させる。
【００４４】
ＣＰＵ１７は、図４の「スロー動画の再生速度の設定変更」画面を表示部１５に表示した状態で、スロー再生速度の変更操作と、楽曲再生速度の変更操作とを受け付ける。本実施形態において「スロー動画の再生速度の設定変更」とは、第２フレームレートを設定変更することをいう。ＣＰＵ１７は、ノブ１１２が上に移動されるとスロー再生速度を高速にし、ノブ１１２が下に移動されるとスロー再生速度を低速にする。例えば、第２フレームレートをデフォルト値の２４ｆｐｓから３６ｆｐｓへ高める場合のＣＰＵ１７は、ＲＡＭ１８に蓄積されている１．５秒分のフレーム画像（フレーム数は９０）に基づいて、３６ｆｐｓでスロー再生（再生時間は２．５秒）を繰り返す。
【００４５】
また、第２フレームレートを１２ｆｐｓへ低くする場合のＣＰＵ１７は、ＲＡＭ１８に蓄積されている０．５秒分のフレーム画像（フレーム数は３０）に基づいて、１２ｆｐｓでスロー再生（再生時間は２．５秒）を繰り返す。
【００４６】
このように、設定されている第２フレームレート（すなわちスロー再生速度）によって小画面のスロー再生動画１２０に用いるＲＡＭ１８内のフレーム画像のフレーム数が異なるので、ＣＰＵ１７は、第２フレームレートが変更されるとステップＳ２３の「先撮り」をやり直す。なお、第２フレームレートは上述した値に限らず、例えば２ｆｐｓ〜６０ｆｐｓの範囲で適宜変更が可能である。
【００４７】
ＣＰＵ１７は、図４の「スロー動画の再生速度の設定変更」画面における小画面のスロー再生動画１２０を、再生処理モードにおいてスロー再生動画データおよび静止画データによる画像再生を行う際の第２フレームレート（すなわちスロー再生速度）に対応させる。これにより、ユーザーは、ステップＳ２１の撮影／記録前に、あらかじめ第２フレームレート（スロー再生速度）を設定しておくことができるし、設定される第２フレームレート（スロー再生速度）をライブビュー画像の表示画面において確認できる。
【００４８】
なお、ステップＳ２１の撮影／記録処理では、ＲＡＭ１８に蓄積されているフレーム画像のうち、図４の「スロー動画の再生速度の設定変更」画面で設定された第２フレームレート（スロー再生速度）に応じたフレーム数のフレーム画像に基づいて、再生時間が２．５秒のスロー再生動画データが生成される。
【００４９】
本実施形態では、スロー再生動画データの生成に用いるフレーム画像において、Ｓ２オン前のフレーム数とＳ２オン後のフレーム数との比を、例えば６：４とする。具体例をあげると、第２フレームレートが３６ｆｐｓである場合のＣＰＵ１７は、ＲＡＭ１８に蓄積されている１．５秒分のフレーム画像（フレーム数は９０）に基づいて、３６ｆｐｓのスロー再生動画データを生成する。このとき、フレーム数９０のうち、Ｓ２オン前のフレーム数は５４で、Ｓ２オン後のフレーム数は３６である。
【００５０】
図５のステップＳ２４においてサウンド再生する楽曲は、例えば、フラッシュメモリ１９に記憶されている複数の楽曲のデータの中でデフォルト指定されている楽曲である。フラッシュメモリ１９には、楽曲のテンポ、すなわち演奏速度が異なる複数の楽曲があらかじめ記録されている。楽曲は、演奏速度が異なる同じ曲でもよいし、演奏速度が異なる別の曲でもよい。ユーザーは、ライブビュー画像の表示画面の中で、小画面のスロー再生動画１２０を見ながら、サウンド再生する楽曲を聴きながら、スロー再生速度とテンポが合う楽曲を選ぶ。このためにＣＰＵ１７は、ノブ１１６が右に移動されるとテンポが速い楽曲に変更し、ノブ１１６が左に移動されるとテンポが遅い楽曲に変更する。
【００５１】
図５のステップＳ２５において、ＣＰＵ１７は、スロー動画の再生速度を変更するか否かを判定する。ＣＰＵ１７は、ノブ１１２が移動された場合にはステップＳ２５を肯定判定してステップＳ２６へ進む。ＣＰＵ１７は、ノブ１１２が移動されない場合にはステップＳ２５を否定判定し、ステップＳ２７へ進む。ステップＳ２６において、ＣＰＵ１７は、スロー再生速度を変更してステップＳ２３へ戻る。
【００５２】
ステップＳ２７において、ＣＰＵ１７は、音楽を変更するか否かを判定する。本実施形態で「音楽の変更」とは、演奏速度が異なる楽曲に変更することをいう。ＣＰＵ１７は、ノブ１１６が移動された場合にはステップＳ２７を肯定判定し、ステップＳ２８へ進む。ＣＰＵ１７は、ノブ１１６が移動されない場合にはステップＳ２７を否定判定し、ステップＳ２９へ進む。
【００５３】
ステップＳ２８において、ＣＰＵ１７は、ノブ１１６の移動に応じて音楽を変更し、ステップＳ２４へ戻る。ステップＳ２９において、ＣＰＵ１７は、操作部材２１を構成する「ＯＫ」スイッチが押下操作されたか否かを判定する。ＣＰＵ１７は、「ＯＫ」スイッチが押下操作された場合に、スライドバー１１１、ノブ１１２および小画面のスロー再生動画１２０の表示を終了し、かつ音楽再生（楽曲のサウンド再生）を終了してステップＳ１８へ進む。ＣＰＵ１７は、「ＯＫ」スイッチが押下操作されない場合には、ステップＳ２９を否定判定してステップＳ２４へ戻る。ステップＳ２４へ戻る場合は上述した処理を繰り返す。ＣＰＵ１７は、ステップＳ２３〜Ｓ２８において設定したスロー動画の再生速度および楽曲の情報を、ステップＳ２１の撮影／記録時に反映させる。
【００５４】
以上説明した実施形態によれば、次の作用効果が得られる。
（１）デジタルカメラ１は、撮像素子１３と、撮像素子１３で撮像された複数のフレーム画像を第１フレームレートで逐次記憶するＲＡＭ１８と、ＲＡＭ１８に記憶された画像を逐次表示させる表示部１５と、ＲＡＭ１８に記憶された複数のフレーム画像に基づいて、第１フレームレートとは異なる第２フレームレートで表示部１５に再生表示するスロー再生動画データを生成するＣＰＵ１７と、ＣＰＵ１７により生成されたスロー再生動画データを記録媒体３０に記録する画像／記録再生部２０と、第２フレームレートを変更するための操作部材２１と、を備え、表示部１５は、画像／記録再生部２０が記録を行う前に、表示部１５に逐次表示させるライブビュー画像に加えて、スロー再生動画データに基づく動画像を変更後の第２フレームレートで表示させる。これにより、表示部１５に逐次表示されるライブビュー画像を確認しながら、スロー再生速度（第２フレームレート）を変更し得る。
【００５５】
（２）上記（１）のデジタルカメラ１において、ＣＰＵ１７は、操作部材２１により第２フレームレートが変更されると、当該変更後にＲＡＭ１８に記憶された複数のフレーム画像に基づいて再度スロー再生動画データを生成させ、表示部１５は、再度生成されたスロー再生動画データに基づく動画像を、変更後の第２フレームレートで表示させる。これにより、変更後のスロー再生速度（第２フレームレート）に適したスロー再生動画データを用いて表示できる。
【００５６】
（３）上記（１）、（２）のデジタルカメラ１において、ＲＡＭ１８に記憶されたフレーム画像に基づいて、静止画データを生成するＣＰＵ１７をさらに備え、画像／記録再生部２０は、ＣＰＵ１７により生成されたスロー再生動画データ、およびＣＰＵ１７により生成された静止画データを、互いに関連付けて記録媒体３０に記録する。これにより、スロー再生動画および静止画の双方を保存できる。
【００５７】
（４）上記（１）〜（３）のデジタルカメラ１において、第２フレームレートは第１フレームレートより低速であるので、上記デジタルカメラ１は、低速側のフレームレートを変更し得る。
【００５８】
（５）上記（１）〜（４）のデジタルカメラ１において、楽曲のデータに基づいて音楽を再生するサウンド再生部２２をさらに備え、画像記録／再生部２０が記録を行う前に、表示部１５がスロー再生動画データに基づく動画像を変更後の第２フレームレートで表示させている間、サウンド再生部２２が楽曲のデータに基づいて音楽を再生し、画像記録／再生部２０はさらに、記録時において、サウンド再生部２２が再生する楽曲のデータの情報を関連付けて記録媒体３０に記録する。これにより、サウンド再生部２２により再生される楽曲も確認しながら、スロー再生動画＆静止画モード時のスロー再生速度（第２フレームレート）を変更できる。
【００５９】
（６）上記（５）のデジタルカメラ１において、楽曲を変更するための第２操作部材２１をさらに備え、サウンド再生部２２は、第２操作部材２１により楽曲が変更されると、当該変更後の楽曲のデータに基づいて音楽を再生し、画像記録／再生部２０はさらに、記録時に、変更後の楽曲のデータの情報を関連付けて記録媒体３０に記録する。これにより、サウンド再生部２２により再生される楽曲を確認しながら、スロー再生動画＆静止画モード時に再生する楽曲を変更できる。
【００６０】
（７）上記（６）のデジタルカメラにおいて、楽曲は、演奏速度が異なる楽曲に変更されるようにしたので、スロー再生動画の再生速度とテンポが合う楽曲に変更し得る。
【００６１】
（８）上記（５）〜（７）のデジタルカメラにおいて、サウンド再生部２２は、スロー再生動画データに基づく動画像が表示される間、音楽再生を繰り返すので、楽曲の長さと表示時間が合わない場合でも、違和感を与えないように適切に再生できる。
【００６２】
（変形例１）
上述した説明では、スロー再生速度（第２フレームレート）を変更した場合でも、スロー再生時間を２．５秒に揃えるようにした。すなわち、ＲＡＭ１８に蓄積されている所定時間分（スロー再生速度に応じて変化させる）のフレーム画像に基づいて、第２フレームレートで２．５秒間再生するスロー再生動画データを生成する。この代わりに、ＲＡＭ１８に蓄積されている１秒分（上記例では６０フレーム）のフレーム画像に基づいて、再生時間が異なるスロー再生動画を生成してもよい。
【００６３】
変形例１のＣＰＵ１７は、例えば、ＲＡＭ１８に蓄積されている１秒分（６０フレーム）のフレーム画像に基づいて、３６ｆｐｓのスロー再生動画データを生成する場合に、再生時間が１．６７秒のスロー再生動画を生成する。このとき、フレーム数６０のうち、Ｓ２オン前のフレーム数は３６で、Ｓ２オン後のフレーム数は２４である。なお、スロー再生動画の生成に用いるフレーム画像は、必ずしも１秒分（６０フレーム）でなくてもよく、３秒分（１８０フレーム）でも０．５秒分（３０フレーム）でもよい。なお、Ｓ２オン前のフレーム数とＳ２オン後のフレーム数との比を、６：４としたが、適宜変更が可能とするようにしてもよい。
【００６４】
（変形例２）
上記実施形態では、「スロー動画の再生速度の設定変更」画面において、ライブビュー画像に重ねて小画面のスロー再生動画１２０を表示させるようにした。この代わりに、スロー再生動画に重ねて、小画面のライブビュー画像を表示させるように構成してもよい。あるいは、スロー再生動画１２０およびライブビュー画像を並べて表示させるように構成してもよい。
（変形例３）
上記実施形態では、「スロー動画の再生速度の設定変更」画面において、スロー再生速度の変更操作と、楽曲再生速度の変更操作とをそれぞれ受け付けるようにした。この代わりに、スロー再生速度または楽曲再生速度のどちらか一方の変更操作を受け付けると、他方の操作変更も連動するように変更されるようにしてもよい。これにより、スロー再生速度と楽曲再生速度が大きく異なる画像、たとえばどちらか一方が極端に早かったり、またはどちらか一方が極端に遅かったりする設定となることを避けることができる。
【００６５】
以上の説明はあくまで一例であり、上記の実施形態の構成に何ら限定されるものではない。
【符号の説明】
【００６６】
１…デジタルカメラ
１１…撮像光学系
１２…絞り
１３…撮像素子
１４…画像処理部
１５…表示部
１６…絞り駆動部
１７…ＣＰＵ
１８…ＲＡＭ
２１…操作部材
２２…サウンド再生部
３０…記録媒体
【図１】
2014086869.tif 000003
【図２】
2014086869.tif 000004
【図３】
2014086869.tif 000005
【図４】
2014086869.tif 000006
【図５】
2014086869.tif 000007